(57)【要約】【課題】  システムの構成を、簡単な手順で対応付けすることが可能な監視システムを提供する。【解決手段】  ＣＴセンサ１が、分電盤内に設けられる複数の電力線にそれぞれ接続され、検出した電力線電力値を無線送信する。コンセントに差し込まれたスマートタップ２は、家電製品のプラグが挿入された状態で負荷電力値を検出し、検出した負荷電力値を無線送信する。タブレット端末機４は、ＣＴセンサ１から送信される各電力線電力値を受信し、スマートタップ２から送信される各負荷電力値を受信し、各電力線電力値の経時変化量と各負荷電力値の経時変化量とを検出する。経時変化量が一致した電力線電力値と負荷電力値とが検出されると、ＣＴセンサ１とスマートタップ２とを対応付ける。【選択図】      図１
2014081337.tif 000002
【特許請求の範囲】
【請求項１】
分電盤内に設けられる複数の電力線にそれぞれ接続され、接続された各電力線における消費電力である電力線電力値を検出する複数の電力検出器であって、検出した電力線電力値を示す電力線電力値情報を無線送信可能な複数の電力検出器と、
前記電力線の負荷側に接続されたコンセントに挿入される栓刃と、負荷機器のプラグが挿入可能なプラグ受けとを備える電源タップであって、電源タップの栓刃がコンセントに挿入され、負荷機器のプラグの栓刃がプラグ受けに挿入された状態で、電源タップの栓刃とプラグ受けとの間における消費電力である負荷電力値を検出し、検出した負荷電力値を示す負荷電力値情報を無線送信可能な複数の電源タップと、
前記複数の電力検出器から送信される各電力線電力値情報を受信し、前記複数の電源タップから送信される各負荷電力値情報を受信し、各電力線電力値の経時変化量と各負荷電力値の経時変化量とを検出して、経時変化量が一致した電力線電力値と負荷電力値とが検出されると、該電力線電力値を示す電力線電力値情報を送信した電力検出器と該負荷電力値を示す負荷電力値情報を送信した電源タップとを対応付ける監視装置と、を有することを特徴とする監視システム。
【請求項２】
前記電力検出器は、電力線電力値情報を、予め定める時間間隔で無線送信し、
前記電源タップは、負荷電力値情報を、前記予め定める時間間隔と同じ時間間隔で無線送信し、
前記電力線電力値の経時変化量は、ｎ回目（ｎ≧２）に受信した電力線電力値情報が示す電力線電力値と、ｎ−１回目に受信した電力線電力値情報が示す電力線電力値との差分であり、
前記負荷電力値の経時変化量は、ｎ回目に受信した負荷電力値情報が示す負荷電力値と、ｎ−１回目に受信した負荷電力値情報が示す負荷電力値との差分であることを特徴とする請求項１記載の監視システム。
【請求項３】
前記監視装置は、各電源タップに接続された負荷機器の名称を示す名称情報を入力可能に構成され、電力検出器と電源タップとの対応付けに基づいて、電力検出器に対応付けられる負荷機器の名称情報を表示することを特徴とする請求項１または２記載の監視システム。
【発明の詳細な説明】
【技術分野】
【０００１】
本発明は、家庭内で使用する家電製品の電力量を監視する監視システムに関する。
【背景技術】
【０００２】
地球環境への配慮、エネルギの枯渇化対策、災害による発電施設の停止など様々な状況から、節電対策が講じられており、工場やオフィスビルなどの大量の電力消費施設だけでなく一般家庭においても節電が求められている。
【０００３】
一般家庭での節電を促進するために家庭内エネルギ監視システム（ＨＥＭＳ）が導入されている。ＨＥＭＳにより、家庭内での消費電力を効率化して節電およびＣＯ２削減を実現しようとしている。
【０００４】
ＨＥＭＳの１つとして、家庭内で使用されている家電製品の消費電力量を監視し、各時間帯における消費電力量の変化などを表示する監視システムがあり、消費電力量を可視化することで、家電製品を使用するユーザの意識を節電に向かわせようとするものである。
【０００５】
特許文献１に記載の電力表示システムは、機器と機器が設置された部屋とを対応付けて、部屋内に設置された機器の消費電力などを表示することができる。
【先行技術文献】
【特許文献】
【０００６】
【特許文献１】特開２０１２−９８１８７号公報
【発明の概要】
【発明が解決しようとする課題】
【０００７】
特許文献１記載の電力表示システムでは、部屋ごとの機器の消費電力などを表示することができるが、消費電力を表示するためには、予めユーザが機器と部屋との対応付けなど手動で入力する必要があり、手順の繁雑さが一般家庭へのシステム導入を阻害する要因となっている。
【０００８】
本発明の目的は、システムの構成を、簡単な手順で対応付けすることが可能な監視システムを提供することである。
【課題を解決するための手段】
【０００９】
本発明は、分電盤内に設けられる複数の電力線にそれぞれ接続され、接続された各電力線における消費電力である電力線電力値を検出する複数の電力検出器であって、検出した電力線電力値を示す電力線電力値情報を無線送信可能な複数の電力検出器と、
前記電力線の負荷側に接続されたコンセントに挿入される栓刃と、負荷機器のプラグが挿入可能なプラグ受けとを備える電源タップであって、電源タップの栓刃がコンセントに挿入され、負荷機器のプラグの栓刃がプラグ受けに挿入された状態で、電源タップの栓刃とプラグ受けとの間における消費電力である負荷電力値を検出し、検出した負荷電力値を示す負荷電力値情報を無線送信可能な複数の電源タップと、
前記複数の電力検出器から送信される各電力線電力値情報を受信し、前記複数の電源タップから送信される各負荷電力値情報を受信し、各電力線電力値の経時変化量と各負荷電力値の経時変化量とを検出して、経時変化量が一致した電力線電力値と負荷電力値とが検出されると、該電力線電力値を示す電力線電力値情報を送信した電力検出器と該負荷電力値を示す負荷電力値情報を送信した電源タップとを対応付ける監視装置と、を有することを特徴とする監視システムである。
【００１０】
また本発明によれば、前記電力検出器は、検出した電力線電力値を、予め定める時間間隔で無線送信し、
前記電源タップは、検出した負荷電力値を、前記予め定める時間間隔と同じ時間間隔で無線送信し、
前記電力線電力値の経時変化量は、ｎ回目（ｎ≧２）に受信した電力線電力値情報が示す電力線電力値と、ｎ−１回目に受信した電力線電力値情報が示す電力線電力値との差分であり、
前記負荷電力値の経時変化量は、ｎ回目に受信した負荷電力値情報が示す負荷電力値と、ｎ−１回目に受信した負荷電力値情報が示す負荷電力値との差分であることを特徴とする。
【００１１】
また本発明は、前記監視装置は、各電源タップに接続された負荷機器の名称を示す名称情報を入力可能に構成され、電力検出器と電源タップとの対応付けに基づいて、電力検出器に対応付けられる負荷機器の名称情報を表示することを特徴とする。
【発明の効果】
【００１２】
本発明によれば、複数の電力検出器が、分電盤内に設けられる複数の電力線にそれぞれ接続され、接続された各電力線における消費電力である電力線電力値を検出し、検出した電力線電力値を示す電力線電力値情報を無線送信可能に構成される。
【００１３】
複数の電源タップは、前記電力線の負荷側に接続されたコンセントに挿入される栓刃と、負荷機器のプラグが挿入可能なプラグ受けとを備え、電源タップの栓刃がコンセントに挿入され、負荷機器のプラグの栓刃がプラグ受けに挿入された状態で、電源タップの栓刃とプラグ受けとの間における消費電力である負荷電力値を検出し、検出した負荷電力値を示す負荷電力値情報を無線送信可能に構成される。
【００１４】
監視装置は、前記複数の電力検出器から送信される各電力線電力値情報を受信し、前記複数の電源タップから送信される各負荷電力値情報を受信し、各電力線電力値の経時変化量と各負荷電力値の経時変化量とを検出して、経時変化量が一致した電力線電力値と負荷電力値とが検出されると、該電力線電力値を示す電力線電力値情報を送信した電力検出器と該負荷電力値を示す負荷電力値情報を送信した電源タップとを対応付ける。
【００１５】
ユーザの手順としては、負荷機器のプラグを電源タップに挿すだけで、監視装置によって電力検出器と電源タップとが対応付けられるので、システムの構成を、簡単な手順で対応付けすることが可能となる。
【００１６】
また本発明によれば、前記電力検出器は、電力線電力値情報を、予め定める時間間隔で無線送信し、前記電源タップは、負荷電力値情報を、前記予め定める時間間隔と同じ時間間隔で無線送信する。前記電力線電力値の経時変化量は、ｎ回目（ｎ≧２）に受信した電力線電力値情報が示す電力線電力値と、ｎ−１回目に受信した電力線電力値情報が示す電力線電力値との差分であり、前記負荷電力値の経時変化量は、ｎ回目に受信した負荷電力値情報が示す負荷電力値と、ｎ−１回目に受信した負荷電力値情報が示す負荷電力値との差分である。
【００１７】
電力値の経時変化量として、前回検出された電力値と今回検出された電力値との差分を用いるので、演算量を比較的少なくすることができる。
【００１８】
また本発明によれば、前記監視装置は、各電源タップに接続された負荷機器の名称を示す名称情報を入力可能に構成され、電力検出器と電源タップとの対応付けに基づいて、電力検出器に対応付けられる負荷機器の名称情報を表示する。
【００１９】
名称情報を入力しておくことで、負荷機器の消費電力を表示する際などに、負荷機器の名称も表示することができる。
【図面の簡単な説明】
【００２０】
【図１】本発明の実施形態である監視システムＡの構成を示す概略図である。
【図２】ＣＴセンサ１の構成を示すブロック図である。
【図３】スマートタップ２の構成を示すブロック図である。
【図４】タブレット端末機４の構成を示すブロック図である。
【図５】タブレット端末機４の対応付け処理を示すフローチャートである。
【図６】ラベル付け処理の手順を説明するための表示画面例を示す図である。
【図７】タブレット端末機４の対応付け処理を示すフローチャートである。
【図８】差分履歴リスト５０の一例を示す図である。
【図９】各時間帯における消費電力の推移を示すグラフである。
【発明を実施するための形態】
【００２１】
図１は、本発明の実施形態である監視システムＡの構成を示す概略図である。監視システムＡは、クランプ式のＣＴセンサ１と、スマートタップ２と、中継機３と、タブレット端末機４とから構成される。本例では、スマートタップ２にテレビジョン受像機（以下、単にテレビという）６のプラグが差し込まれており、また照明器具７も電力線の負荷側に接続されている。
【００２２】
ＣＴ（Current Transformer）センサ１は、いわゆる変流器による電流検出器であり、本発明では、分電盤５の各電力線に容易に接続できるようにクランプ式が用いられる。また、ＣＴセンサ１は、接続された電力線に流れる電流の電流値と電圧値とから消費電力値である電力線電力値を検出し、検出した電力線電力値を示す電力線電力値情報を無線通信によって中継機３に送信することができる。分電盤５の電力線に設けるセンサとして本実施形態では、ＣＴセンサを用いているが、消費電力値である電力線電力値を検出し、中継機３に送信可能なものであれば、ＣＴセンサに限らず使用することができる。電流値が検出できるセンサであれば、たとえば電圧値を１００Ｖの一定値として、検出した電流値に基づいて消費電力値を算出し、電力線電力値として送信することができる。
【００２３】
スマートタップ２は、分電盤５に集配される電力線の負荷側に接続されたコンセントに挿入される栓刃と、負荷機器である家電製品のプラグが挿入可能なプラグ受けとを備える電源タップである。スマートタップ２は、家電製品のプラグがプラグ受けに挿入され、栓刃がコンセント差し込まれた状態で、タップ内を流れる電流の電流値と電圧値とから消費電力値である負荷電力値を検出し、検出した負荷電力値を示す負荷電力値情報を無線通信によって中継機３に送信することができる。
【００２４】
中継機３は、各ＣＴセンサ１から送信される電力線電力値情報を受信し、各スマートタップ２から送信される負荷電力値情報を受信し、無線ルータを介してタブレット端末機４へ各電力線電力値情報および各負荷電力値情報を送信する。
【００２５】
タブレット端末機４は、中継機３から無線ルータを介して各電力線電力値情報および各負荷電力値情報を受信し、受信した各電力線電力値情報および各負荷電力値情報を表示することができる。
【００２６】
図２は、ＣＴセンサ１の構成を示すブロック図である。ＣＴセンサ１は、クランプ端子１０、電力検出部１１および無線送信部１２を有する。クランプ端子１０は、分電盤５内の電力線を直接掴むようにして接続するための接続端子である。クランプ端子１０が電力線に接続した状態で、電力検出部１１が電力線を流れる電流の電流値と電圧値とから電力線電力値を検出する。電力検出部１１が検出した電力線電力値を示す電力線電力値情報は、無線送信部１２によって中継機３に送信される。
【００２７】
図３は、スマートタップ２の構成を示すブロック図である。スマートタップ２は、栓刃２０、電力検出部２１、プラグ受け２２および無線送信部２３を有する。栓刃２０は、分電盤５から延びる電力線の負荷側に設けられたコンセントに挿入される。プラグ受け２２は、テレビジョン受像機、冷蔵庫、掃除機などの家電製品のプラグが挿入される。電力検出部２１は、栓刃２０がコンセントに挿入され、プラグ受け２２に家電製品のプラグが挿入された状態で栓刃２０とプラグ受け２１との間に流れる電流の電流値と電圧値とから負荷電力値を検出する。電力検出部２１が検出した負荷電力値を示す負荷電力値情報は、無線送信部２３によって中継機３に送信される。
【００２８】
図４は、タブレット端末機４の構成を示すブロック図である。タブレット端末機４は、制御部４０、表示部４１、通信部４２、入力部４３および記憶部４４を有する。制御部４０は、記憶部４４に記憶されている各種のプログラムに基づいて、タブレット端末機４全体の動作を制御する。表示部４１は、各種の画像を表示することが可能で、家庭内の消費電力量の経時変化などを表示する。入力部４３は、ユーザの操作により文字列の入力、ソフトキーの押下などを行う。入力部４３は、たとえばキーボードやマウスなどでもよく、表示部４１と協働するタッチパネルであるのが好ましい。
【００２９】
通信部４２は、無線通信および有線通信が可能であり、無線通信によって無線ルータと通信することが可能である。なお、タブレット端末機４の通信部４２と、ＣＴセンサ１の無線送信部１２とが直接通信してもよく、タブレット端末機４の通信部４２と、スマートタップ２の無線送信部２３と直接通信してもよい。
【００３０】
ＣＴセンサ１と中継機３との無線通信、スマートタップ２と中継機３との無線通信および中継機３とタブレット端末機４との無線通信として、近距離無線通信が利用可能であり、たとえばＷｉ−Ｆｉ（登録商標）、Ｂｌｕｅｔｏｏｔｈ（登録商標）あるいはＺｉｇｂｅｅ（登録商標）などの通信方式で無線通信を行う。
【００３１】
ＣＴセンサ１は、予め定める時間間隔、たとえば５秒間隔で、検出した電力線電力値を測定時刻とともに送信する。スマートタップ２は、ＣＴセンサ１が電力線電力値を送信する時間間隔と同じ時間間隔、たとえば５秒間隔で、検出した負荷電力値を測定時刻とともに送信する。
【００３２】
中継機３は、ＣＴセンサ１から電力線電力値情報を受信すると、無線ルータを介してタブレット端末機４に受信した測定時刻と電力線電力値情報を送信する。また中継機３は、スマートタップ２から負荷電力値情報を受信すると、無線ルータを介してタブレット端末機４に受信した測定時刻と負荷電力値情報を送信する。
【００３３】
タブレット端末機４は、ＣＴセンサ１から送信された電力線電力値およびスマートタップ２から送信された負荷電力値情報を、一定の時間間隔で中継機３を介して受信することができる。タブレット端末機４は一定時間間隔内に中継機３が受信した電力値情報をまとめて受信する。タブレット端末機４は、一定時間間隔で、中継機３が受信した複数の電力値情報をまとめて受信する。
【００３４】
分電盤５の電力線は、１つの電力線が複数に分岐し、それぞれの負荷側にコンセントが設けられている。電力線における消費電力は、分岐先の各コンセントに接続された電力負荷である家電製品の消費電力量の総和である。
【００３５】
したがって、タブレット端末機４において、電力線と、その電力線の分岐先のコンセントとの対応付けができ、さらにそのコンセントに接続されている家電製品がわかれば、個別の家電製品の消費電力量だけではなく、家庭内全体の消費電力量に占める各家電製品の消費電力量などがわかり、これをタブレット端末機４の表示部４１に表示すれば、いわゆる電力見える化が実現できる。
【００３６】
従来技術は、システムを構成する機器などの対応付けをユーザが手動で行わなければならず、監視システムの導入にあたり、導入手順が繁雑なものとなっている。これに対して本発明は、電力線に接続されたＣＴセンサ１と各コンセントに接続されたスマートタップとを監視装置であるタブレット端末機４が対応付けを行う。
【００３７】
電力線の分岐先にコンセントが設けられているので、コンセントに挿入されたスマートタップ２で検出される負荷電力値の変動、すなわち消費電力量が時間的に変動すると、分岐元の電力線に接続されたＣＴセンサ１で検出される電力線電力値も同じように変動する。
【００３８】
このような特性を利用すれば、ユーザの手を煩わせることなく、タブレット端末機４がＣＴセンサ１とスマートタップ２との対応付けを容易に行うことができる。
【００３９】
上記のように、電力線電力値情報は、一定の時間間隔でＣＴセンサ１から送信されてくるので、ある時刻においてｎ回目（ｎ≧２）に受信した電力線電力値情報が示す電力線電力値と、ｎ−１回目に受信した電力線電力値情報が示す電力線電力値との差分が、消費電力の時間的な変化量を示す。
【００４０】
同様に、負荷電力値情報は、一定の時間間隔でスマートタップ２から送信されてくるので、ある時刻においてｎ回目に受信した負荷電力値情報が示す負荷電力値と、ｎ−１回目に受信した負荷電力値情報が示す負荷電力値との差分が、消費電力の経時変化量を示す。
【００４１】
ＣＴセンサ１における消費電力量の経時変化量と、スマートタップ２における消費電力量の経時変化量とが一致すると、これらのＣＴセンサ１とスマートタップ２とを対応付ける。
【００４２】
ＣＴセンサ１が複数設けられる場合、各ＣＴセンサ１を識別するための識別番号が割り振られ、各スマートタップ２を識別するための識別番号も割り振られる。ＣＴセンサ１およびスマートタップ２は、検出した電力値を送信する際に、電力値と自らに割り振られた識別番号とを含む電力値情報を送信する。タブレット端末機４は、識別信号によって、いずれのＣＴセンサ１で検出された電力線電力値であるか、いずれのスマートタップ２で検出された負荷電力値であるかを認識する。さらに、タブレット端末機４は、電力線電力値および負荷電力値の経時変化量についても、いずれのＣＴセンサ１のものか、いずれのスマートタップ２のものかを認識する。
【００４３】
一致する２つの経時変化量が見つかった場合は、それぞれの経時変化量が検出されたＣＴセンサ１とスマートタップ２のそれぞれの識別番号を対応付けて、タブレット端末機４の記憶部４４に記憶しておく。
【００４４】
家電製品が動作している場合には、消費電力量の変動は小さく、一致する経時変化量を見つけることが困難であり、また対応していないＣＴセンサ１とスマートタップ２とを誤って対応付けてしまうおそれがある。
【００４５】
消費電力量の変動が大きいのは、電源オン時および電源オフ時である。したがって、対応付けを行うときは、スマートタップ２をコンセントに挿入し、家電製品のプラグをスマートタップ２に差し込んだ状態で、家電製品の電源をオンするのが好ましい。
【００４６】
図５は、タブレット端末機４の対応付け処理を示すフローチャートである。ステップＳ１で、中継機３から電力線電力値および負荷電力値を取得する。ステップＳ２では、ＣＴセンサ１ごと、およびスマートタップ２ごとに、取得したｎ回目の電力量と、直前（ｎ−１回目）の電力量との差分値を算出して、ＣＴセンサ１ごと、およびスマートタップ２ごとの差分値をリスト化した差分リストを作成する。
【００４７】
差分リストは、たとえば、各ＣＴセンサ１を識別番号順に並べ、続いて各スマートタップ２を識別番号順に並べ、ＣＴセンサ１およびスマートタップ２に対応する差分値をそれぞれ記載したものである。
【００４８】
ステップＳ３では、差分リストの先頭の差分値を選択し、ステップＳ４で、選択した差分値が閾値以上であるかどうかを判断する。閾値以上であればステップＳ５に進み、閾値未満であれば、ステップＳ９で選択した差分値を差分リストから除去してステップＳ８に進む。
【００４９】
ステップＳ５では、選択した差分値が、差分リスト内の他の差分値と一致するか否かを判断する。一致すればステップＳ６に進み、一致しなければ、ステップＳ９で、選択した差分値を差分リストから除去してステップＳ８に進む。
【００５０】
ステップＳ６では、差分値が一致したＣＴセンサ１、スマートタップ２を対応付けて、対応付けリストに追加する。２つのスマートタップ２が対応するようなことはないので、２つのスマートタップ２において差分値が一致した場合は、一致した２つの差分値を差分リストから削除する。２つのＣＴセンサ１が対応することはあるので、２つのＣＴセンサ１において差分値が一致した場合は、一致した２つのＣＴセンサ１を対応付けリストに追加すればよい。
【００５１】
対応付けリストは、差分値が一致したＣＴセンサ１とスマートタップ２のそれぞれの識別番号、または差分値が一致した２つのＣＴセンサ１のそれぞれの識別番号を１つの組としてリスト化したものである。ステップＳ７では、一致した２つの差分値を差分リストから除去する。
【００５２】
ステップＳ８では、差分リスト中に残りの差分値があるかどうかを判断し、無ければ処理を終了し、あればステップＳ３に戻る。対応付け処理が終了したときに、対応付けリストに１組以上の識別番号が記載されていれば、これらの識別番号で識別されるＣＴセンサ１、スマートタップ２にラベル付けを行う。
【００５３】
図６は、ラベル付け処理の手順を説明するための表示画面例を示す図である。タブレット端末機４において、監視システムＡの管理用アプリケーションを起動させ、ＣＴセンサ１を電力線に接続し、スマートタップ２をコンセントに挿入する。
【００５４】
一定の時間間隔で、ＣＴセンサ１およびスマートタップ２から中継機３を介して、電流値の検出結果が識別番号とともに送信されてくる。タブレット端末機４がこれを受信すると、受信した識別番号を機器一覧として表示部４１に表示する（図６（ａ））。
【００５５】
スマートタップ２に家電製品のプラグが差し込まれていない状態では、消費電力量の変動は発生しない。ユーザが、たとえばテレビ６のプラグを、リビングのコンセントに挿入されたスマートタップ２に差し込んで電源をオンすると、比較的大きな消費電力量の変動が生じやすく、図５に示したフローチャートに従って対応付け処理が行われ、１組の識別番号（ＣＴ００１，ＴＰ００１）が対応付けリストに追加されたものとする。
【００５６】
対応付けリストに追加された１組の識別番号は、タブレット端末機４の表示部４１に表示される。このとき、新しい組が見つかったことを示すメッセージと識別番号（ＣＴ００１，ＴＰ００１）が表示される（図６（ｂ））。
【００５７】
表示された各識別番号にラベル付け処理を行う。ラベルには、ＣＴセンサ１用のラベルとスマートタップ２用のラベルが予め準備されている。分電盤５の各電力線は、部屋ごとに設けられている場合が多いので、ＣＴセンサ１に対するラベルとして、一般的な部屋の名称（「リビング」、「寝室」、「子供部屋」など）を予め記憶しておく。また、スマートタップ２には、家電製品のプラグが差し込まれるので、スマートタップ２に対するラベルとして、一般的な家電製品の名称（「冷蔵庫」、「ＴＶ」、「ＨＤＤレコーダー」など）を予め記憶しておく。
【００５８】
ＣＴセンサ１の識別番号が選択されると、ＣＴセンサ１にラベル付けできるように、予め記憶している部屋の名称を表示してユーザが選択する（図６（ｃ））。ＣＴセンサ１のラベルを選択すると、１つ前の画面（図６（ｂ））に戻り、スマートタップ２の識別番号が選択されると、スマートタップ２にラベル付けできるように、家電製品の名称を表示してユーザが選択する（図６（ｄ））。
【００５９】
ユーザは、テレビ６を電源オンしたことで、新たな対応付けが見つかったことから、新しい組として見つかったスマートタップ２は、テレビ６のプラグを挿したスマートタップ２であり、新しい組として見つかったＣＴセンサ１は、そのスマートタップ２が挿入されたコンセントが設けられたリビングに対応する電力線に接続されたＣＴセンサ１であると認識することができる。
【００６０】
ユーザは、部屋の名称の中から「リビング」を選択し、家電製品の名称の中から「ＴＶ」を選択すればよい。
【００６１】
これによって、識別番号「ＣＴ００１」のＣＴセンサ１には、ラベル「リビング」が付され、識別番号「ＴＰ００１」のスマートタップ２には、ラベル「ＴＶ」が付される。
【００６２】
ラベル付けは、ラベルリストとして記憶される。ラベルリストは、ＣＴセンサ１またはスマートタップ２の識別番号に対してラベルが対応付けられたリストである。上記の例では、識別番号「ＣＴ００１」にラベル「リビング」が対応付けられ、識別番号「ＴＰ００１」にラベル「ＴＶ」が対応付けられたラベルリストが作成される。
【００６３】
ラベルによるＣＴセンサ１と部屋との対応付けについて、従来では、ＣＴセンサ１を分電盤５に取り付ける際に、ＣＴセンサの識別番号と部屋との対応付けを、ユーザが記憶しておくか、メモなどによって記録を残しておき、後に記憶または記録を元に、タブレット端末機４を操作して、ＣＴセンサの識別番号と部屋の名称などを全て入力する必要があるが、本発明であれば、図６（ｃ）に示すように、プラグを差し込んだスマートタップ２が挿入されているコンセントの部屋をラベルとして入力するだけでよく、ユーザはＣＴセンサの識別番号と部屋との対応付けを記憶したり、記録に残す必要がない。
【００６４】
図５のフローチャートで示した処理では、１回の差分電力値だけで対応付けするため、偶然に差分値が一致してしまうと、誤った対応付けが成される可能性がある。このような誤りを減らすために以下の処理では、過去３回分の差分値を参照することとしている。
【００６５】
図７は、タブレット端末機４の対応付け処理を示すフローチャートである。ステップＡ１で、中継機３から電力線電力値および負荷電力値を取得する。ステップＡ２では、ＣＴセンサ１ごと、およびスマートタップ２ごとに、取得したｎ回目の各電力値と、直前（ｎ−１回目）の各電力値との差分値を算出して、差分履歴リストに追加する。
【００６６】
図８は、差分履歴リスト５０の一例を示す図である。差分履歴リスト５０は、差分値の時系列を、ＣＴセンサ１ごと、およびスマートタップ２ごとに記載したリストである。図８に示した例では、今回分を含めた過去３回分の差分値が記載されている。ｔ３の列は、本ステップＡ２で算出した差分値であり、差分リストに相当する。前回の電力値取得時に算出した差分値が、ｔ２の列であり、前々回の電力値取得時に算出した差分値が、ｔ１の列である。まだ算出していないｔ４の列以降の差分値は０とし、新たに算出されると差分値が更新される。
【００６７】
ステップＡ３以降の処理を行うために、差分履歴リスト５０から差分リストを抽出する。本例では、ｔ３の列を差分リストとして抽出する。
【００６８】
ステップＡ３では、差分リストの先頭の差分値を選択し、ステップＡ４で、選択した差分値が閾値以上であるかどうかを判断する。閾値以上であればステップＡ５に進み、閾値未満であれば、ステップＡ１０で、選択した差分値を差分リストから除去してステップＡ９に進む。
【００６９】
ステップＡ５では、選択した差分値が、差分リスト内の他の差分値と一致するか否かを判断する。一致すればステップＡ６に進み、一致しなければ、ステップＡ１０で、選択した差分値を差分リストから除去してステップＡ９に進む。
【００７０】
ステップＡ６では、差分履歴リストを参照して、差分リスト内で差分値が一致したものについて、今回分を含めた過去３回分のうち２回以上差分値が一致しているかどうかを判断する。一致していればステップＡ７に進み、一致していなければステップＡ１０で、選択した差分値を差分リストから除去してステップＡ９に進む。
【００７１】
ステップＡ７では、過去３回分で差分値が２回以上一致したＣＴセンサ１、スマートタップ２を対応付けて、対応付けリストに追加する。２つのスマートタップ２が対応するようなことはないので、２つのスマートタップ２において差分値が一致した場合は、一致した２つの差分値を差分リストから削除する。２つのＣＴセンサ１が対応することはあるので、２つのＣＴセンサ１において差分値が一致した場合は、一致した２つのＣＴセンサ１を対応付けリストに追加すればよい。
【００７２】
ステップＡ８では、一致した２つの差分値を差分リストから除去する。ステップＡ９では、差分リスト中に残りの差分値があるかどうかを判断し、無ければ処理を終了し、あればステップＳ３に戻る。対応付け処理が終了したときに、対応付けリストに１組以上の識別番号が記載されていれば、これらの識別番号で識別されるＣＴセンサ１、スマートタップ２にラベル付けを行う。ラベル付けは、図６で説明した手順と同じ手順で行うことができる。
【００７３】
上記のように、ＣＴセンサ１とスマートタップ２との対応付けを行い、さらにラベル付けによってＣＴセンサ１が対応している部屋の名称、スマートタップ２に接続されている家電製品の名称を表示させることができる。ＣＴセンサ１で検出される電力線電力値は、ＣＴセンサ１に対応付けられたスマートタップ２で検出される負荷電力値の総和であり、各部屋の消費電力の内訳を、家電製品個々の消費電力によって表すことができる。
【００７４】
各時間帯における消費電力の推移を示すグラフである。１つのＣＴセンサ１に着目すると、タブレット端末機４は、図９に示すようなグラフ作成し、表示することができる。作成するグラフは、横軸を時間帯とし、縦軸を消費電力値とすると、時間帯ごとに「リビング」がラベル付けされたＣＴセンサ１で検出される電力線電力値をリビングにおける消費電力の総和として表示し、さらに、「ＴＶ」がラベル付けされたスマートタップ２で検出される負荷電力値をテレビ６の消費電力をリビングの消費電力の一部として表示する。
【００７５】
このようなグラフを見ることで、ユーザは、リビングではどの時間帯の消費電力が多いか、そのうちテレビの消費電力が占める割合がどの程度かなどを容易に知ることができ、ユーザが家庭内での節電対策を考えたり実行したりすることができる。
【符号の説明】
【００７６】
１      ＣＴセンサ
２      スマートタップ
３      中継機
４      タブレット端末機
５      分電盤
６      テレビジョン受像機
７      照明器具
１０    クランプ端子
１１    電力検出部
１２    無線送信部
２０    栓刃
２１    電力検出部
２３    無線送信部
４０    制御部
４１    表示部
４２    通信部
４３    入力部
４４    記憶部
Ａ      監視システム
【図１】
2014081337.tif 000003
【図２】
2014081337.tif 000004
【図３】
2014081337.tif 000005
【図４】
2014081337.tif 000006
【図５】
2014081337.tif 000007
【図６】
2014081337.tif 000008
【図７】
2014081337.tif 000009
【図８】
2014081337.tif 000010
【図９】
2014081337.tif 000011